(57)【要約】【課題】  照明器具を梱包箱に収納して梱包する際の緩衝材であって、緩衝材であるホルダー部材に付属品を取付けるようにした梱包用緩衝材を用いた照明器具の梱包構造の提供。【解決手段】  緩衝材は概略円盤状のベース２４の略中央に筒型状の挿入部１６を上方へ突出したホルダー部材２と、該挿入部１６の上端に取付けることが出来るロック部材３から成り、照明器具１は該ホルダー部材２の円盤状ベース部に載り、略中央部分に形成された貫通孔２１には挿入部１６が嵌り、該挿入部１６に取付けるロック部材３によって固定することが出来、該ホルダー部材２のベース２４の上面にはリモコン１２や電池１４などの付属品を取付ける収容部１７、１９を設け、また該ホルダー部材２底の略中央に有する穴２２にはアダプター１５を嵌めて取付ける。【選択図】    図２
2019156473.tif 000002
【特許請求の範囲】
【請求項１】
照明器具を緩衝材を用いて梱包箱に収納して梱包する梱包構造であって、該緩衝材は、概略円盤状のベース中央に筒型挿入部を上方へ突出したホルダー部材と、上記挿入部に取付けることが出来るロック部材から成り、該照明器具は略中央部分に貫通穴を有し、該円盤状ベース部に載置した該照明器具は貫通穴に挿入部が嵌り、該挿入部に取付けたロック部材によって固定することが出来るように構成し、上記ホルダー部材のベース上面には該照明器具の付属品を取付ける収容部を設け、また該ホルダー部材底の略中央に有する穴にはアダプターを嵌めて取付けることを特徴とする梱包用緩衝材を用いた照明器具の梱包構造。
【請求項２】
該ホルダー部材は、収容部に止着する付属品よりも暗色で形成したことを特徴とする請求項１記載の梱包用緩衝材を用いた照明器具の梱包構造。
【請求項３】
該収容部には、付属品を止着する係合ツメを設けたことを特徴とする請求項1、又は請求項２記載の梱包用緩衝材を用いた照明器具の梱包構造。
【請求項４】
該ロック部材には突起を設け、該ホルダー部材の挿入部には該ロック部材が回転することで該突起が係合するリブを形成した請求項1、請求項２、又は請求項３記載の梱包用緩衝材を用いた照明器具の梱包構造。
【発明の詳細な説明】
【技術分野】
【０００１】
本発明は略中央部分に貫通孔を有する照明器具の梱包構造であって、該照明器具を梱包するための緩衝材を有し、該緩衝材を用いてリモコンなどの付属品を該照明器具と共に梱包箱へ収容可能とした照明器具の梱包構造に関するものである。
【背景技術】
【０００２】
照明器具は梱包箱内に収納された荷姿で出荷される。しかし、照明器具は衝撃に弱い為に輸送中にランプユニットなどが破損する虞があり、そこで輸送中の衝撃に耐えることが出来るように緩衝材を備えた状態で梱包されている。
梱包形態は色々あるが、例えば特開２０００−２８１１３８号に係る「照明器具の包装装置」によれば、梱包作業が容易でコストも低減出来、付属部品の取り出し忘れを防止できる包装装置とされている。
【０００３】
具体的には、シャーシを備える器具本体にランプユニット及びこのランプユニットを覆うセードを取り付けてなる照明器具を、収納可能な包装箱と包装箱内に収納可能な平板状をなし一部に抜き穴が形成された位置決め緩衝材と、抜き穴内に嵌合して位置決め緩衝材の上面側に突出し、この突出した頂部に照明器具の付属品を保持可能な保持手段が形成され、保持手段の近傍に該シャーシに嵌合可能な受け部が形成される筒状の本体押えとを具備している。
【０００４】
したがって、器具本体に照明器具の他の部品を載置又は組み付けて包装すれば、照明器具を安定した状態で梱包出来る。照明器具を使用する場合、包装装置から照明器具の各部品を取り出す際に、付属品があることが分かり易く、付属品を誤って捨ててしまうことはない。すなわち、付属品を固定する際に粘着テープなどを用いる必要がなく、取付け作業は容易になる。
【０００５】
しかし、アダプターと引掛けシーリングの組み付け作業が難しく、梱包作業の効率化を低下させる虞がある。また、アダプターと引掛けシーリングが照明器具と梱包材を繋ぎ止めているため、落下衝撃などでアダプター又は引掛けシーリングの故障が懸念される。
そして、照明器具自体の重量が重い場合には、この発明の包装装置を採用するのは困難と予想される。
【０００６】
また、特開２０１３−２０３４３３号に係る「緩衝材並びにその緩衝材を用いて梱包された梱包物」は、開梱作業の作業性の向上を目的としている。
緩衝材を用いて、操作部に操作力を加えて係合部を係合位置から非係合位置に変位させることにより、係合部を係合溝から離脱させることが出来る。その結果、固定緩衝材に設けられている４つの突起を全て溝から脱出させて固定緩衝材を器具本体から取り外す場合と比較して、緩衝材を容易に照明器具から取り外すことができ、開梱作業の作業性向上を図ることが可能となる。
【０００７】
しかし、この緩衝材から照明器具を取外す場合、片手で操作部を押圧しながら他方の手で照明器具を持ち上げる必要があり、照明器具を購入したばかりのユーザーにとってその作業は困難であることが懸念される。慣れてこないと緩衝材から照明器具を取外すことは容易でない。
また、輸送中や保管場所において、地面から高い位置より梱包状態の照明器具を誤って落下した際、係合部が係合溝に係合した構造では照明器具を支えきれず脱落し、その結果、照明器具が破損することが懸念される。
【０００８】
【特許文献１】特開２０００−２８１１３８号に係る「照明器具の包装装置」
【特許文献２】特開２０１３−２０３４３３号に係る「緩衝材並びにその緩衝材を用いて梱包された梱包物」
【発明の開示】
【発明が解決しようとする課題】
【０００９】
被梱包体たる照明器具を輸送する場合、或いは保管する場合の手段として梱包は必要となる。そして、外からの衝撃が作用したり落下しても、収納されている照明器具が破損しないように緩衝材と共に梱包されているのが好ましい。しかし、従来の緩衝材では梱包作業が煩雑となったり、或いは落下時の衝撃に対処出来ないなどの問題が考えられる。
本発明が解決しようとする課題はこれら問題点であり、梱包作業及び開梱作業を容易にし、付属品の取出しを忘れることがないように、梱包用緩衝材を用いた照明器具の梱包構造を提供する。
【課題を解決するための手段】
【００１０】
本発明の緩衝材は２つの部材で構成し、被梱包体たる照明器具を載置して保持するホルダー部材と、該ホルダー部材に載置された照明器具を固定するロック部材から成る。
ホルダー部材は円盤型ベースとその中央には円筒形の挿入部が上方へ突出し、該挿入部の外周側には照明器具が載る複数の載置部を設けている。また、該挿入部の内周側には複数のリブを設け、ロック部材には該リブと係合する複数の突起を設けている。
【００１１】
ところで、本発明の被梱包体たる照明器具は、略中央部分に貫通孔を有し、該ホルダー部材に形成する円筒形の挿入部に該照明器具の貫通孔が嵌り、該照明器具は該ホルダー部材の載置部に載置した状態でロック部材を取付けるならば、該照明器具は該ホルダー部材に固定される。該ロック部材は該挿入部の上部で回転することによって、該ロック部材に形成した突起が該挿入部に形成したリブと係合し、該照明器具は該ホルダー部材と該ロック部材によって挟まれる。
そして、本発明では該ホルダー部材の該挿入部の外周にリモコン、リモコンホルダー、電池などを収容することが出来る収容部を設けている。また、照明器具を天井に取付けるためのアダプターは該ホルダー部材の挿入部裏面に設けた穴に嵌って取付けられる。
【発明の効果】
【００１２】
本発明の緩衝材はホルダー部材とロック部材によって構成され、照明器具は上記ホルダー部材とロック部材によって挟まれた状態で梱包箱に入れられる。ホルダー部材中央に突出して設けた挿入部が照明器具の穴部に嵌った状態でロック部材を挿入部上端に載せて回転するならば、突起が挿入部のリブに係合し、ロック部材は照明器具をホルダー部材に固定することが出来る。
【００１３】
すなわち、被梱包体たる照明器具の梱包作業を容易に行うことが出来、また、ロック部材を逆回転することでホルダー部材から容易に取外すことが出来、開梱作業も楽である。勿論、回転することで係合した該ロック部材の突起は、高所から落下しても該ホルダー部材の挿入部に形成したリブから容易に外れることはなく、緩衝材としての緩衝機能は失われない。
そして、該ホルダー部材には付属品としてのリモコン、リモコンホルダー、電池、及びアダプターが収容されている。梱包箱を開梱して該ホルダー部材から照明器具を取外すならば、これら付属品は視覚的に表面化するため、取外し忘れることはない。
また、該緩衝材の色彩を付属品より暗い色合いとするならば、梱包箱から照明器具を取出す際に、より付属品を視認し易くすることが出来、該付属品の取外し忘れを防止することが出来る。
【００１４】
ホルダー部材に付属品を取付ける手段として収容部に係合ツメを設けることで、テープなどの副資材を用いる必要がなく、梱包作業並びに開梱作業が向上し、しかも費用の削減にもなる。
該付属部品の一つであるアダプターはホルダー部材の裏面側より取付けられるが、照明器具を固定するロック部材を該ホルダー部材から取外すことで、該アダプターが裏面側にあることが視覚的に分かるようにしている。
【図面の簡単な説明】
【００１５】
【図１】本発明の実施例における梱包箱に梱包される照明器具の梱包構造を示す展開図。
【図２】本発明の実施例におけるホルダー部材に、リモコン、リモコンホルダー、電池、及びアダプターを取付ける前の状態を示す展開図。
【図３】本発明の実施例におけるホルダー部材の底面側斜視図であって、図３（ａ）はアダプターを取り付ける前の状態を示す斜視図、図３（ｂ）はアダプターが取付けられた状態を示す斜視図。
【図４】本発明の実施例における照明器具を挟み込んで固定するホルダー部材とロック部材を示す斜視図。
【図５】本発明の実施例における照明器具をホルダー部材とロック部材にて挟み込んで固定した状態を示す断面図。
【発明を実施するための形態】
【００１６】
図１は本発明の実施例における梱包箱に梱包される照明器具の梱包構造を示す展開図である。同図の１は照明器具、２は緩衝材の1つであるホルダー部材、３は別の緩衝材であるロック部材を表し、４は梱包箱、５は略四角形状を成したパッド、６は両側に縁７，７を折り曲げて起立したパッド、８は両側に縁９，９を折り曲げて起立したパッドをそれぞれ表わしている。
上記パッド６，８にはその中央近傍に穴１０，１１を夫々貫通して設け、縁７，７と縁９，９はその方向が異なるよう配置されている。
【００１７】
上記縁７，７および縁９，９の高さは上記梱包箱４にパッド６，８が入った場合に該梱包箱４の側面に当接して四方を支えることが出来る寸法で形成されている。したがって、該梱包箱４に外力が働いても該縁７，７および縁９，９が潰れないよう支持している。
ところで、該照明器具１は略中央部分に貫通孔２１を有し、ホルダー部材２に載置してその上方からロック部材３によって外れないように固定される。
【００１８】
次に、梱包箱４に被梱包体たる照明器具１を収納して梱包する手順について詳述する。ホルダー部材２の上方よりパッド８を置き、次に別のパッド６を該パッド８の平面部分が重なるよう、且つ縁７，７と縁９，９が重ならないように載置する。続いて、照明器具１を該ホルダー部材の上方より載せ、さらにその上からロック部材３を取付けて該照明器具１を固定する。そして、略四角形のパッド５を該照明器具１が固定されたホルダー部材２の上方に載せて該梱包箱４に収納することが出来る。
パッド６，８は、ホルダー部材２のベース２４に該パッド６，８に形成された穴１１、１０が嵌って位置決めされている。その為、該ホルダー部材２とロック部材３によって固定された照明器具１の外周がパッド６の縁７，７とパッド８の縁９，９に当たることはなく、該梱包箱４に収納された照明器具１は衝撃に耐えれるよう安全に収納される。
【００１９】
また、該ホルダー部材２には、照明器具１の付属品たるリモコン１２、リモコンホルダー１３、電池１４が取付けられるよう、該ホルダー部材２の表面にはこれらリモコン１２、リモコンホルダー１３、及び電池１４を収容することが出来る収容部を設けている。また、該ホルダー部材２の裏面にはアダプター１５が取付けられる構造としている。
すなわち、照明器具１を天井に取付ける為の付属品となるアダプター１５、及び該照明器具１の点灯或いは消灯等の操作を遠隔に行う為のリモコン１２、及び該リモコン１２を壁等に保持固定する為のリモコンホルダー１３、及び電池１４をまとめてホルダー部材２に取付けられるようにしている。
【００２０】
図２はホルダー部材２にリモコン１２、リモコンホルダー１３、電池１４、及びアダプター１５を取付ける前の状態を示す展開図である。ホルダー部材２は概略円盤型を成し、ベース２４の中央に筒形をした挿入部１６を上方へ突出している。該挿入部１６の外周である該ベース２４の上面にリモコン１２、リモコンホルダー１３、電池１４を取付け、裏側中央部にはアダプター１５を取付ける構成としている。
【００２１】
すなわち、該ベース２４の上面にはリモコン収容部１７、リモコンホルダー収容部１８、電池収容部１９を設け、これら各収容部１７，１８，１９にはリモコン１２、リモコンホルダー１３、及び電池１４を夫々係合して止着するための係合ツメ２０，２０・・・を設けている。
リモコン収容部１７に収容したリモコン１２は係合ツメ２０，２０・・・が係止して外れないように止着し、リモコンホルダー収容部１８に収容されたリモコンホルダー１３は係合ツメ２０，２０・・・が係止して外れないように止着し、同じく電池収容部１９に収容された電池１４は係合ツメ２０，２０・・・が係止して外れないように止着している。  ここで、係合ツメ２０，２０・・・は該リモコン１２や該リモコンホルダー１３などに係止することが出来、また解除することが出来るように撓み変形可能としている。
尚、本実施例では付属品を収容部に止着する為の手段として係合ツメ２０，２０・・・を設けた構造について説明したが、本発明はこれに限定するものではなく、ホルダー部材２に該付属品を取付ける手段について特に限定はしない。
【００２２】
そして、アダプター１５は該ホルダー部材２の底面側中央部分近傍に圧入して取付けられる。図３はホルダー部材２の底面側を示しており、略中央部分には穴２２が設けられ、該穴２２にアダプター１５を圧入して取付ける構造としている。該穴２２には、内周方向に向かって延出形成された複数の突起部２６，２６，・・・があり、アダプター１５の外周が複数の突起部２６，２６，・・・よって圧入固定されることで、落下しないようになる。図３の（ａ）はアダプター１５がホルダー部材２に取付けられる前の状態を、（ｂ）はアダプター１５がホルダー部材２の穴２２に嵌って取付けられている状態を表している。
尚、該穴２２の外周部分を構成するリブ２７は、ホルダー部材２が容易に撓むのを防止するための補強と、アダプター１５を該ホルダー部材２に取付ける際に、該アダプター１５を該穴２２に誘導するためのガイドの機能を兼ねている。
また、本実施例ではアダプター１５を圧入固定するための手段として複数の突起部２６，２６，・・・を設けた構造について説明したが、本発明はこれに限定するものではなく、種々の変形実施が可能であることを言及する。
【００２３】
図４は照明器具１とホルダー部材２、及びロック部材３が分離した状態を示す斜視図である。該照明器具１はホルダー部材２とロック部材２にて挟まれた状態で梱包される。すなわち、ホルダー部材２に載置された該照明器具１はロック部材３を取付けることによって固定される。図５は照明器具１がホルダー部材２とロック部材３に挟まれた状態を示す断面図である。
ホルダー部材２の挿入部１６は照明器具１の貫通孔２１に嵌り、該挿入部１６の上にはロック部材３が取付けられる。
【００２４】
該ロック部材３は上面に形成しているツマミを操作して回転することで、該ロック部材３に設けた突起がホルダー部材２の挿入部１６に形成するリブに係合することが出来、該ロック部材３は該ホルダー部材２に固定される。そして、該ホルダー部材２に載置し固定された照明器具１は、パッド６，８にて位置決めされ、パッド５が照明器具１と梱包箱４との間に挿入される。
【符号の説明】
【００２５】
１   照明器具
２   ホルダー部材
３   ロック部材
４   梱包箱
５   パッド
６   パッド
７   縁
８   パッド
９   縁
10   穴
11   穴
12   リモコン
13   リモコンホルダー
14   電池
15   アダプター
16   挿入部
17   リモコン収容部
18   リモコンホルダー収容部
19   電池収容部
20   係合ツメ
21  中央穴
22  穴
23  凸条
24  ベース
25  ツバ
26  突起部
27  リブ
【図１】
2019156473.tif 000003
【図２】
2019156473.tif 000004
【図３】
2019156473.tif 000005
【図４】
2019156473.tif 000006
【図５】
2019156473.tif 000007